(57)【要約】【課題】遠近感のある装飾を現出する食器セットを提供する。【解決手段】本実施形態における食器セット１は、カップ１０と、ソーサー２０とを有する。カップ１０は、カップ１０の外壁面の少なくとも一部を鏡面に形成した鏡面領域１４と、鏡面領域１４に隣接して設けられ、カップ１０の外壁面を装飾するカップ装飾部Ａとを有する。鏡面領域１４は、ソーサー２０にカップ１０を載置した状態において、ソーサー装飾部Ｂを表示する位置に形成される。また、ソーサー２０は、ソーサー２０の載置面に設けられ、カップ１０を載置する位置の周りに装飾したソーサー装飾部Ｂを有する。ソーサー２０にカップ１０を載置した状態において、カップ１０の外壁面には、鏡面領域１４に映ったソーサー装飾部Ｂ（ソーサー装飾部ｂ）が表示される。即ち、カップ１０の外壁面には、カップ装飾部Ａと鏡面領域１４に映ったソーサー装飾部Ｂとが同時に表示される。【選択図】図１
2020157015.tif 000002
【特許請求の範囲】
【請求項１】
開口幅より底部から開口までの距離が短く平たい形状である第１の食器と、
前記第１の食器に載置でき、底部から開口までの距離が当該第１の食器よりも長い第２の食器と、
前記第１の食器の載置面に設けられ、前記第２の食器を載置する位置の周りに装飾した第１装飾部と、
前記第２の食器の外壁面の少なくとも一部を鏡面に形成した鏡面領域と、
前記鏡面領域に隣接して設けられ、前記第２の食器の外壁面を装飾する第２装飾部と
を有し、
前記第１の食器に前記第２の食器を載置した状態において、前記鏡面領域は、前記第１装飾部の映る位置に形成されている
食器セット。
【請求項２】
前記第２装飾部の色は、前記第１装飾部の色より暗い色であり、
前記鏡面領域に映った前記第１装飾部の色は、前記第２装飾部の色より薄く表示される
請求項１に記載の食器セット。
【請求項３】
前記第２装飾部の色には、主として黒系色が含まれ、
前記第１装飾部の色には、青系色、緑系色、又は、これらの混合色が含まれる
請求項２に記載の食器セット。
【請求項４】
前記鏡面領域に映る前記第１装飾部の大きさは、前記第２装飾部の大きさより小さく表示される
請求項１に記載の食器セット。
【請求項５】
前記第２の食器は、飲用の食器あり、
前記鏡面領域は、前記第２の食器の底面側から当該第２の食器の高さの１／２以下までの範囲に形成されている
請求項１に記載の食器セット。
【請求項６】
食器と
前記食器の下に敷く、板状又はシート状である支持材と、
前記支持材の一方面に設けられ、前記食器を載置する位置の周りに装飾した第１装飾部と、
前記食器の外壁面の少なくとも一部を鏡面に形成した鏡面領域と、
前記鏡面領域に隣接して設けられ、前記食器の外壁面を装飾する第２装飾部と
を有し、
前記支持材に前記食器を載置した状態において、前記鏡面領域は、前記第１装飾部の映る位置に形成されている
食器セット。
【発明の詳細な説明】
【技術分野】
【０００１】
本発明は、食器セットに関するものである。
【背景技術】
【０００２】
例えば、特許文献１には、載置面から離れた位置で同載置面に対向する外周面を有する食器において、前記外周面上に食器素地の色合いよりも彩度の高い色合いの有彩色部を設けたことを特徴とする食器が開示されている。
【０００３】
また、特許文献２には、受け皿の上にステンレス製のマグカップを置くと、受け皿の装飾がマグカップに映る点が開示されている。
【先行技術文献】
【特許文献】
【０００４】
【特許文献１】実用新案登録第３１０９２２３号公報
【特許文献２】意匠登録第１２７８７５６号公報
【発明の概要】
【発明が解決しようとする課題】
【０００５】
本発明は、遠近感のある装飾を現出する食器セットを提供することを目的とする。
【課題を解決するための手段】
【０００６】
本発明に係る食器セットは、開口幅より底部から開口までの距離が短く平たい第１の食器と、前記第１の食器に載置でき、底部から開口までの距離が当該第１の食器よりも長い第２の食器と、前記第１の食器の載置面に設けられ、前記第２の食器を載置する位置の周りに装飾した第１装飾部と、前記第２の食器の外壁面の少なくとも一部を鏡面に形成した鏡面領域と、前記鏡面領域に隣接して設けられ、前記第２の食器の外壁面を装飾する第２装飾部とを有し、前記第１の食器に前記第２の食器を載置した状態において、前記鏡面領域は、前記第１装飾部の映る位置に形成されている。
【０００７】
好適には、前記第２装飾部の色は、前記第１装飾部の色より暗い色であり、前記鏡面領域に映った前記第１装飾部の色は、前記第２装飾部の色より薄く表示される。
【０００８】
好適には、前記第２装飾部の色には、主として黒系色が含まれ、前記第１装飾部の色には、青系色、緑系色、又は、これらの混合色が含まれる。
【０００９】
好適には、前記鏡面領域に映る前記第１装飾部の大きさは、前記第２装飾部の大きさより小さく表示される。
【００１０】
好適には、前記第２の食器は、飲用の食器あり、前記鏡面領域は、前記第２の食器の底面側から当該第２の食器の高さの１／２以下までの範囲に形成されている。
【００１１】
また、本発明に係る食器セットは、食器と、前記食器の下に敷く、板状又はシート状である支持材と、前記支持材の一方面に設けられ、前記食器を載置する位置の周りに装飾した第１装飾部と、前記食器の外壁面の少なくとも一部を鏡面に形成した鏡面領域と、前記鏡面領域に隣接して設けられ、前記食器の外壁面を装飾する第２装飾部とを有し、前記支持材に前記食器を載置した状態において、前記鏡面領域は、前記第１装飾部の映る位置に形成されている。
【発明の効果】
【００１２】
本発明によれば、遠近感のある装飾を現出することができる。
【図面の簡単な説明】
【００１３】
【図１】実施例１における食器セット１の構成を説明する斜視図である。
【図２】図１に例示するカップ１０の正面図（Ａ）及び背面図（Ｂ）である。
【図３】図１に例示するカップ１０の右側面図（Ａ）及び左側面図（Ｂ）である。
【図４】図１に例示するカップ１０の平面図（Ａ）及び底面図（Ｂ）である。
【図５】図１に例示するソーサー２０の正面図（Ａ）及び背面図（Ｂ）である。
【図６】図１に例示するソーサー２０の右側面図（Ａ）、左側面図（Ｂ）、平面図（Ｃ）及び底面図（Ｄ）である。
【図７】ソーサー２０にカップ１０を重ねた状態における、カップ１０の装飾を詳細に説明する図である。
【図８】実施例２における食器セット２の構成を説明する斜視図である。
【図９】図７に例示するカップ１０の正面図（Ａ）及び背面図（Ｂ）である。
【図１０】図７に例示するカップ１０の右側面図（Ａ）及び左側面図（Ｂ）である。
【図１１】図７に例示するカップ１０の平面図（Ａ）及び底面図（Ｂ）である。
【図１２】図７に例示するソーサー２０の正面図（Ａ）及び背面図（Ｂ）である。
【図１３】図７に例示するソーサー２０の右側面図（Ａ）、左側面図（Ｂ）、平面図（Ｃ）及び底面図（Ｄ）である。
【発明を実施するための形態】
【００１４】
以下、本発明に係る実施形態の構成を、図面を参照して説明する。ただし、本発明の範囲は、図示例に限定されるものではない。
［実施例１］
まず、図１〜図７を参照し、実施例１における食器セット１を説明する。
図１は、実施例１における食器セット１の構成を説明する斜視図である。また、図２〜図４は、図１に例示するカップ１０の六面図であり、図５及び図６は、図１に例示するソーサー２０の六面図である。
図１に例示するように、実施例１における食器セット１は、カップ１０と、ソーサー２０とを有する。カップ１０及びソーサー２０は、例えば磁器製、陶器製、又は、金属製であり、それぞれ材質を選択することができる。本例のカップ１０及びソーサー２０は、共に磁器製である。また、本例のカップ１０及びソーサー２０は、習慣上同時に販売又は使用されるものを具体例として説明する。
【００１５】
（カップ１０）
次に、図１〜図４を参照し、カップ１０の構成を説明する。
図１〜図４に例示するように、カップ１０は、コーヒーや紅茶等の飲料を注ぎ飲むための容器であり、底部から開口までの距離がソーサー２０の底部から開口までの距離よりも長い、器状に形成されている。カップ１０は、本体１２と、取っ手１３と、鏡面領域１４と、カップ装飾部Ａとを有する。本体１２の外壁面１２Ａには、取っ手１３と、鏡面領域１４と、カップ装飾部Ａとが設けられている。なお、カップ１０は、本発明に係る第２の食器の一例である。
【００１６】
鏡面領域１４は、カップ装飾部Ａと隣接する位置に設けられ、外壁面１２Ａを鏡面に形成した領域である。鏡面領域１４は、外壁面１２Ａの全体に形成してもよいし、外壁面１２Ａの一部にのみ形成してもよい。鏡面領域１４は、ソーサー２０の上にカップ１０を置いた状態において、ソーサー２０の鍔部２２の装飾が映り表示される位置に形成されている。鏡面領域１４は、ソーサー２０の鍔部２２の装飾が表示される位置に形成されているのであれば、外壁面１２Ａの全体に形成してもよいし、外壁面１２Ａの一部にのみ形成してもよい。なお、本例の鏡面領域１４は、カップ１０の底面側からカップ１０の高さの１／２以下までの範囲に設けられている。鏡面領域１４は、取っ手１３の取付位置を除いて、本体１２の円周方向に外壁面１２Ａを略一周して形成されている。
【００１７】
カップ装飾部Ａは、カップ１０の本体１２の外壁面１２Ａを装飾する模様である。カップ装飾部Ａは、鏡面領域１４と隣接する位置に、鏡面領域１４との隙間なく設けられている。カップ装飾部Ａの色は、ソーサー装飾部Ｂの色よりも暗い色であり、例えば黒系色である。また、カップ装飾部Ａの濃淡は、濃淡の変化なく一定の濃さである。カップ装飾部Ａは、本体１２の底面近傍の外壁面１２Ａに設けられ、取っ手１３の取付位置を除いて、本体１２の円周方向に外壁面１２Ａを略一周して設けられている。なお、カップ装飾部Ａは、本発明に係る第２装飾部の一例である。
【００１８】
（ソーサー２０）
次に、図１、図５及び図６を参照し、ソーサー２０の構成を説明する。
図１に例示するように、ソーサー２０は、カップ１０の受け皿である。ソーサー２０は、開口幅より底部から開口までの距離が短く平たい皿状であり、カップ１０を載置することができる。また、図５に例示するように、ソーサー２０は、凹部２１と、鍔部２２と、ソーサー装飾部Ｂとを有する。カップ１０を載置する面側（以下、ソーサー２０の表面）には、凹部２１とソーサー装飾部Ｂとが設けられている。なお、ソーサー２０は、本発明に係る第１の食器の一例である。
【００１９】
凹部２１は、ソーサー２０の中央部に設けられ、カップ１０の底部を載置できる大きさの凹みである。
鍔部２２は、ソーサー２０の周縁部であり、凹部２１の周りに設けられた鍔である。
【００２０】
ソーサー装飾部Ｂは、凹部２１の周りに設けられ、鍔部２２の壁面を装飾する模様である。ソーサー装飾部Ｂは、鍔部２２の壁面のうちソーサー２０の中央側に位置する装飾Ｂ１の領域と、鍔部２２の壁面のうちソーサー２０の周縁側に位置する装飾Ｂ２の領域とを有する。ソーサー装飾部Ｂは、装飾Ｂ１の領域と、装飾Ｂ２の領域との組み合わせた装飾となっている。また、ソーサー装飾部Ｂの色は、カップ装飾部Ａよりも明るい色であり、少なくとも青系色、緑系色、又は、これらの混合色を用いる。本例のソーサー装飾部Ｂの色は、装飾Ｂ１の領域に緑系色を用い、装飾Ｂ２の領域に青系色を用いる。
さらに、ソーサー装飾部Ｂの濃淡は、ソーサー２０の中央側の装飾Ｂ１の領域と、ソーサー２０の周縁側の装飾Ｂ２の領域とで異なり、装飾Ｂ１の領域の色が濃く、装飾Ｂ２の領域の色が淡くなっている。具体的には、装飾Ｂ１は濃淡の変化なく一定の濃さであり、装飾Ｂ２はソーサー２０の中央からソーサー２０の外縁に向かって連続的に薄くなる、いわゆるグラデーションとなっている。このように、ソーサー装飾部Ｂは、色と濃淡との組合せにより、ソーサー２０の中央（凹部２１）からソーサー２０の外縁に向かって連続的に色味が変化した装飾となっている。なお、ソーサー装飾部Ｂは、本発明に係る第１装飾部の一例である。
【００２１】
（装飾）
次に、図７を参照し、ソーサー２０にカップ１０を重ねた状態における装飾を説明する。
図７は、ソーサー２０にカップ１０を重ねた状態における、カップ１０の装飾を詳細に説明する図である。図７（Ａ）は、カップ１０の装飾を例示する図であり、図７（Ｂ）は、カップ１０の装飾を詳細に説明する模式図である。
図７（Ａ）に例示するように、食器セット１は、ソーサー２０にカップ１０を重ねた状態である。ソーサー２０にカップ１０を重ねることにより、鏡面領域１４には、ソーサー装飾部ｂが表示される。即ち、カップ１０の外壁面１２Ａに設けられる装飾は、カップ装飾部Ａとソーサー装飾部ｂとが隣接した装飾となる。鏡面領域１４に表示されたソーサー装飾部ｂは、鏡面領域１４に映ったソーサー装飾部Ｂであり、実質的に同じ装飾である。
【００２２】
図７（Ｂ）に例示するように、鏡面領域１４に映ったソーサー装飾部ｂは、装飾ｂ１と装飾ｂ２とを有する。装飾ｂ１は、鏡面領域１４に映った装飾Ｂ１であり、装飾ｂ２は、鏡面領域１４に映った装飾Ｂ２である。また、鏡面領域１４に映ったソーサー装飾部ｂの色は、カップ装飾部Ａの色より薄く表示され、さらに、装飾ｂ１の色より装飾ｂ２の色の方が薄く表示される。
これにより、カップ１０の外壁面１２Ａに設けられた装飾を視認したユーザは、カップ装飾部Ａとソーサー装飾部ｂとを重ねた装飾体として見ることができる。この装飾体を視認したユーザは、カップ装飾部Ａは濃色であるため手前にあるように見え、ソーサー装飾部ｂは薄色で表示されるため遠くにあるように見える。即ち、カップ１０の外壁面１２Ａには、色彩を利用した遠近法（色彩遠近法）で表現された装飾を表示させることができる。さらに、ソーサー装飾部ｂを装飾ｂ１と装飾ｂ２とで濃淡を変えることにより、空気により霞んだようにユーザに見せることができる。即ち、空気を描いた遠近法（空気遠近法）で装飾を表示させることができる。
【００２３】
［実施例２］
次に、図８〜図１３を参照し、実施例２における食器セット２を説明する。なお、実施例２では、上記実施例１と実質的に同一の機能、構成を有する要素については、同一の符号を付することにより重複説明を省略する。
図８は、実施例２における食器セット２の構成を説明する斜視図である。また、図９〜図１１は、図８に例示するカップ１０の六面図であり、図１２及び図１３は、図８に例示するソーサー２０の六面図である。
図８〜図１３に例示するように、実施例２における食器セット２は、実施例１と実質的に同様の構成であり、カップ１０と、ソーサー２０とを有する。本例のカップ１０に設けられたカップ装飾部Ａと、ソーサー２０に設けられたソーサー装飾部Ｂとは、上記実施例１の装飾とは異なる装飾となっている。このように、食器セット２は、カップ装飾部Ａとソーサー装飾部Ｂとのデザインを変えることにより、遠近法を利用した複数のデザインを製作することができる。
【００２４】
以上説明したように、上記実施例１及び実施例２における食器セットによれは、ソーサー２０にカップ１０を載置した状態において、カップ装飾部Ａの隣接する位置にある鏡面領域１４に、ソーサー装飾部Ｂを映したソーサー装飾部ｂを表示させることができる。これにより、ユーザは、カップ１０をソーサー２０に載せた場合、カップ１０に設けられたカップ装飾部Ａと、鏡面領域１４に映ったソーサー装飾部ｂとを組み合わせた１つの装飾体として視認することができる。よって、カップ装飾部Ａと、鏡面領域１４に映ったソーサー装飾部ｂとを組み合わせた装飾体を見たユーザは、奥行きのあるデザインとして見ることができる。
【００２５】
以上、本発明に係る実施形態について説明したが、これらに限定されるものではなく、発明の趣旨を逸脱しない範囲内において、種々の変更、追加等が可能である。
なお、上記実施例の食器セットは、習慣上同時に販売又は使用されるものに限定するものではなく、器状の食器を皿状の食器の上に重ねて使用できるものであるならばセットになっていないものであっても適用することができる。
また、器状の食器の一例として、取っ手付の器状であるカップ１０を具体例としたが、取っ手無しのコップであってもよい。また、料理を盛る器である碗や鉢等であってもよい。
【００２６】
［変形例１］
次に、上記実施例における変形例を説明する。
上記実施例１及び実施例２では、カップ側の壁面において、カップ装飾部Ａの隣接する位置に鏡面領域１４を設ける場合を説明したが、ソーサー側の鍔部の表面において、ソーサー装飾部Ｂの隣接する位置に鏡面領域１４を設けてもよい。
【００２７】
［変形例２］
本変形例では、カップ装飾部Ａの大きさより、ソーサー装飾部Ｂの大きさを小さく設けてもよい。具体的には、カップ装飾部Ａの大きさより、ソーサー装飾部Ｂの装飾Ｂ２の大きさを小さく設ける。これにより、鏡面領域１４に表示されたソーサー装飾部Ｂの装飾Ｂ２の大きさを、カップ装飾部Ａの大きさより、小さく表示させることができる。即ち、手前のものを大きくし、奥手ものを小さく表示するいわゆる大小遠近法にて、カップ１０の外壁面１２Ａを装飾することができる。
このように、本変形例によれば、カップ装飾部Ａの大きさより、鏡面領域１４に映ったソーサー装飾部ｂの装飾Ｂ２の大きさを小さく表示することにより、これらを組み合わせた装飾体を見たユーザは、奥行きのあるデザインとして見ることができる。
【００２８】
［変形例３］
本変形例では、ソーサー２０を、カップ１０の下に敷いて用いる支持材に変更してもよい。支持材とは、板状又はシート状であり、例えばコースター、盆、ランチョンマット、又は盆等の上に敷くシート等である。この支持材の一方の面における、カップ１０を載置する位置の周りに、ソーサー装飾部Ｂを設ける。これにより、ユーザは、カップ１０を例えば支持材の一例であるコースターに載置することにより、カップ装飾部Ａと、鏡面領域１４に映ったソーサー装飾部ｂとを組み合わせた装飾体を見ることができる。
【符号の説明】
【００２９】
１、２  食器セット
１０    カップ
１２    本体
１２Ａ  外壁面
１３    取っ手
１４    鏡面領域
Ａ      カップ装飾部
２０    カップ
２１    凹部
２２    鍔部
Ｂ      ソーサー装飾部
Ｂ１、Ｂ２    装飾
【図１】
2020157015.tif 000003
【図２】
2020157015.tif 000004
【図３】
2020157015.tif 000005
【図４】
2020157015.tif 000006
【図５】
2020157015.tif 000007
【図６】
2020157015.tif 000008
【図７】
2020157015.tif 000009
【図８】
2020157015.tif 000010
【図９】
2020157015.tif 000011
【図１０】
2020157015.tif 000012
【図１１】
2020157015.tif 000013
【図１２】
2020157015.tif 000014
【図１３】
2020157015.tif 000015